(57)【要約】  本開示は、通信技術分野に係り、上り伝送取消指示の傍受方法及び端末を提供する。端末に応用される該上り伝送取消指示の傍受方法において、帯域幅パートＢＷＰを端末が切り替える際に、ＢＷＰの切り替え中に上り伝送取消指示の傍受を行うか否かを第１所定設定情報に基づいて決定することと、上り伝送取消指示の傍受が必要であると決定された場合、ＢＷＰの切り替え中に上り伝送取消指示を傍受することと、上り伝送取消指示の傍受が不要と決定された場合、ＢＷＰの切り替え中に上り伝送取消指示を傍受しないこととを含む。
2021520092.tif 000002
【特許請求の範囲】
【請求項１】
端末に応用する上り伝送取消指示の傍受方法において、
帯域幅パートＢＷＰを端末が切り替える際に、ＢＷＰの切り替え中に上り伝送取消指示の傍受を行うか否かを第１所定設定情報に基づいて決定することと、
上り伝送取消指示の傍受が必要であると決定された場合、ＢＷＰの切り替え中に上り伝送取消指示を傍受することと、
上り伝送取消指示の傍受が不要と決定された場合、ＢＷＰの切り替え中に上り伝送取消指示を傍受しないこととを含む、上り伝送取消指示の傍受方法。
【請求項２】
前記第１所定設定情報は、下りＢＷＰに設定される上り伝送取消指示の第１設定情報と、上りＢＷＰに設定される上り伝送取消指示の第２設定情報との少なくとも１つを含む、請求項１に記載の上り伝送取消指示の傍受方法。
【請求項３】
前記端末が下りＢＷＰの切り替えのみを行う場合、ＢＷＰの切り替え中に上り伝送取消指示の傍受を行うか否かを決定することは、
切り替え前又は切り替え後の下りＢＷＰに前記第１設定情報が設定されているか否かによって、ＢＷＰの切り替え中に上り伝送取消指示の傍受を行うか否かを決定することを含む、請求項２に記載の上り伝送取消指示の傍受方法。
【請求項４】
前記端末が下りＢＷＰの切り替えのみを行う場合、ＢＷＰの切り替え中に上り伝送取消指示の傍受を行うか否かを決定することは、
切り替え前の下りＢＷＰに設定された第１設定情報と、切り替え後の下りＢＷＰに設定された第１設定情報とが同一であるか否かによって、ＢＷＰの切り替え中に上り伝送取消指示の傍受を行うか否かを決定することを含む、請求項２に記載の上り伝送取消指示の傍受方法。
【請求項５】
前記端末が上りＢＷＰの切り替えのみを行う場合、ＢＷＰの切り替え中に上り伝送取消指示の傍受を行うか否かを決定することは、
切り替え前又は切り替え後の上りＢＷＰに前記第２設定情報が設定されているか否かによって、ＢＷＰの切り替え中に上り伝送取消指示の傍受を行うか否かを決定することを含む、請求項２に記載の上り伝送取消指示の傍受方法。
【請求項６】
前記端末が上りＢＷＰの切り替えのみを行う場合、ＢＷＰの切り替え中に上り伝送取消指示の傍受を行うか否かを決定することは、
切り替え前の上りＢＷＰに設定された第２設定情報と、切り替え後の上りＢＷＰに設定された第２設定情報とが同一であるか否かによって、ＢＷＰの切り替え中に上り伝送取消指示の傍受を行うか否かを決定することを含む、請求項２に記載の上り伝送取消指示の傍受方法。
【請求項７】
前記端末が下りＢＷＰと上りＢＷＰの切り替えを同時に行う場合、ＢＷＰの切り替え中に上り伝送取消指示の傍受を行うか否かを決定することは、
下りＢＷＰに前記第１設定情報が設定され且つ上りＢＷＰに前記第２設定情報が設定された完全な設定情報が切り替え前又は切り替え後の上りＢＷＰと下りＢＷＰに設定されているか否かによって、ＢＷＰの切り替え中に上り伝送取消指示の傍受を行うか否かを決定することを含む、請求項２に記載の上り伝送取消指示の傍受方法。
【請求項８】
上り伝送をスケジューリングする下り制御情報を端末が受信しなかった場合、上り伝送取消指示を傍受しないことを更に含む、請求項１に記載の上り伝送取消指示の傍受方法。
【請求項９】
ＢＷＰの切り替え中に上り伝送取消指示を傍受した後に、
上り伝送取消指示が検出された後に、切り替え前の上りＢＷＰと、切り替え前の下りＢＷＰと、切り替え後の上りＢＷＰと、切り替え後の下りＢＷＰとのうちの少なくとも１つを含む第１ＢＷＰの上り伝送取消指示の設定情報に基づいて、上り伝送が取り消しになる時間周波数リソースを決定することを更に含む、請求項１に記載の上り伝送取消指示の傍受方法。
【請求項１０】
ＢＷＰの切り替え中に上り伝送取消指示を傍受した後に、
上り伝送取消指示が検出された後に、第２所定設定情報に基づいて、上り伝送が取り消しになる時間周波数リソースを決定することを更に含む、請求項１に記載の上り伝送取消指示の傍受方法。
【請求項１１】
前記第２所定設定情報には、設定されている上りＢＷＰを含む、請求項１０に記載の上り伝送取消指示の傍受方法。
【請求項１２】
ＢＷＰの切り替え中に上り伝送取消指示を傍受した後に、
上り伝送取消指示が検出された後に、検出された前記上り伝送取消指示を無視することを更に含む、請求項１に記載の上り伝送取消指示の傍受方法。
【請求項１３】
検出された前記上り伝送取消指示を無視することは、
切り替え前のＢＷＰの上り伝送取消指示の設定情報と、切り替え後のＢＷＰの上り伝送取消指示の設定情報とが、少なくとも部分的に異なる場合、検出された前記上り伝送取消指示を無視することを含む、請求項１２に記載の上り伝送取消指示の傍受方法。
【請求項１４】
端末に応用される上り伝送取消指示の傍受方法において、
上りＢＷＰと下りＢＷＰとの少なくとも１つを含む帯域幅パートＢＷＰを端末が切り替える際に、上り伝送取消指示を傍受しないことを含む、上り伝送取消指示の傍受方法。
【請求項１５】
帯域幅パートＢＷＰを端末が切り替える際に、ＢＷＰの切り替え中に上り伝送取消指示の傍受を行うか否かを第１所定設定情報に基づいて決定する第１決定モジュールと、
上り伝送取消指示の傍受が必要であると決定された場合、ＢＷＰの切り替え中に上り伝送取消指示を傍受する第１実行モジュールと、
上り伝送取消指示の傍受が不要と決定された場合、ＢＷＰの切り替え中に上り伝送取消指示を傍受しない第２実行モジュールとを含む、端末。
【請求項１６】
メモリと、プロセッサと、メモリに格納されてプロセッサで動作可能なコンピュータプログラムを含む端末であって、
前記コンピュータプログラムが前記プロセッサによって実行されると、請求項１〜１３のいずれか一項に記載の上り伝送取消指示の傍受方法のステップが実現される、端末。
【請求項１７】
コンピュータプログラムが格納されているコンピュータ読み取り可能な記憶媒体であって、
前記コンピュータプログラムがプロセッサによって実行されると、請求項１〜１３のいずれか一項に記載の上り伝送取消指示の傍受方法のステップが実現される、コンピュータ読み取り可能な記憶媒体。
【請求項１８】
上りＢＷＰと下りＢＷＰとの少なくとも１つを含む帯域幅パートＢＷＰを端末が切り替える際に、上り伝送取消指示を傍受しない第５実行モジュールを含む、端末。
【請求項１９】
メモリと、プロセッサと、メモリに格納されてプロセッサで動作可能なコンピュータプログラムを含む端末であって、
前記コンピュータプログラムが前記プロセッサによって実行されると、請求項１４に記載の上り伝送取消指示の傍受方法のステップが実現される、端末。
【請求項２０】
コンピュータプログラムが格納されているコンピュータ読み取り可能な記憶媒体であって、
前記コンピュータプログラムがプロセッサによって実行されると、請求項１４に記載の上り伝送取消指示の傍受方法のステップが実現される、コンピュータ読み取り可能な記憶媒体。
【発明の詳細な説明】
【技術分野】
【０００１】
本願は、２０１８年３月２８日に中国特許庁に提出された中国特許出願２０１８１０２６６５２２．４の優先権を主張し、その全ての内容が援用によりここに取り込まれる。
【０００２】
本開示は、通信技術分野に係り、特に上り伝送取消指示の傍受方法及び端末に係る。
【背景技術】
【０００３】
将来の第５世代（５Ｇ）移動通信システムは、従来の通信システムに比べて、より多様化したシナリオやサービスニーズに適応する必要がある。ＮＲ（Ｎｅｗ  ｒａｄｉｏ）の主なシナリオは、ｅＭＢＢ（ｅｎｈａｎｃｅｄ  ｍｏｂｉｌｅ  ｂｒｏａｄｂａｎｄ）、ｍＭＴＣ（ｍａｓｓｉｖｅ  ｍａｃｈｉｎｅ  ｔｙｐｅ  ｏｆ  ｃｏｍｍｕｎｉｃａｔｉｏｎ）及びＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）を含む。これらのシナリオは、高信頼性、低遅延、広帯域幅、広いカバレッジなどをシステムに求める。
【０００４】
異なるニーズのサービス及び異なる応用シナリオを満たすために、ＮＲシステムのサブキャリア間隔は、ＬＴＥ（Ｌｏｎｇ  Ｔｅｒｍ  Ｅｖｏｌｕｔｉｏｎ）における単一の１５ｋＨｚではない。システムは、多種類のサブキャリア間隔をサポートし、異なるサブキャリア間隔は、異なるシナリオに適用する。例えば、高周波数帯域の広帯域幅に対しては、サブキャリア間隔を比較的大きく設定することができる。それと同時に、大きなサブキャリア間隔は、時間領域において、小さなシンボル長に対応し、低遅延サービスの要件を満たすことができる。
【０００５】
ＮＲ  Ｒｅｌ−１５において、各キャリアの最大チャネル帯域幅（ｃｈａｎｎｅｌ  ｂａｎｄｗｉｄｔｈ）は、４００ＭＨｚである。しかしながら、端末の能力を考慮すると、端末がサポートする最大帯域幅は、４００  ＭＨｚ未満であってもよく、且つ、端末は、複数の小さい帯域幅パートＢＷＰ（ｂａｎｄｗｉｄｔｈ  ｐａｒｔ）で動作することができる。各帯域幅パートは、１つの数値設定（Ｎｕｍｅｒｏｌｏｇｙ）、帯域幅（ｂａｎｄｗｉｄｔｈ）、周波数位置（ｆｒｅｑｕｅｎｃｙ  ｌｏｃａｔｉｏｎ）に対応する。各端末は、１つ又は複数のＢＷＰを設定することができる。基地局は、どのＢＷＰで動作するか、すなわち、どのＢＷＰを活性化する（ａｃｔｉｖａｔｅ）かを端末に通知する必要がある。端末の活性ＢＷＰは、下り制御情報（ＤＣＩ）により動的に切り替えられる。
【０００６】
下りリンクＤＬ（Ｄｏｗｎｌｉｎｋ）ＢＷＰの切り替え又は上りリンクＵＬ（Ｕｐｌｉｎｋ）ＢＷＰの切り替えが発生すると、端末がＵＬ取消指示ＣＩ（ｃａｎｃｅｌｌａｔｉｏｎ  ｉｎｄｉｃａｔｉｏｎ）を検出して受信する行為は、ＤＬ／ＵＬ  ＢＷＰの切り替え前後で端末が曖昧に理解する問題を解決するために明確にする必要がある。
【発明の概要】
【発明が解決しようとする課題】
【０００７】
本開示の実施例は、下り伝送ＢＷＰ及び上り伝送ＢＷＰの少なくとも一方に切り替えが発生した際に、従来の技術では端末が上り伝送取消指示を検出して受信する行為を明確にしていないため、切り替え前後で端末が正確な上り伝送取消指示を取得できず、通信の信頼性を保証できないという問題を解決するために、上り伝送取消指示の傍受方法及び端末を提供する。
【課題を解決するための手段】
【０００８】
第１態様として、本開示の実施例は、端末に応用する上り伝送取消指示の傍受方法を提供し、帯域幅パートＢＷＰを端末が切り替える際に、ＢＷＰの切り替え中に上り伝送取消指示の傍受を行うか否かを第１所定設定情報に基づいて決定することと、上り伝送取消指示の傍受が必要であると決定された場合、ＢＷＰの切り替え中に上り伝送取消指示を傍受することと、上り伝送取消指示の傍受が不要と決定された場合、ＢＷＰの切り替え中に上り伝送取消指示を傍受しないこととを含む。
【０００９】
第２態様として、本開示の実施例は、端末に応用される上り伝送取消指示の傍受方法を提供し、上りＢＷＰと下りＢＷＰとの少なくとも１つを含む帯域幅パートＢＷＰを端末が切り替える際に、上り伝送取消指示を傍受しないことを含む。
【００１０】
第３態様として、本開示の実施例は、帯域幅パートＢＷＰを端末が切り替える際に、ＢＷＰの切り替え中に上り伝送取消指示の傍受を行うか否かを第１所定設定情報に基づいて決定する第１決定モジュールと、上り伝送取消指示の傍受が必要であると決定された場合、ＢＷＰの切り替え中に上り伝送取消指示を傍受する第１実行モジュールと、上り伝送取消指示の傍受が不要と決定された場合、ＢＷＰの切り替え中に上り伝送取消指示を傍受しない第２実行モジュールとを含む端末を提供する。
【００１１】
第４態様として、本開示の実施例は、メモリと、プロセッサと、メモリに格納されてプロセッサで動作可能なコンピュータプログラムを含む端末を提供し、前記コンピュータプログラムが前記プロセッサによって実行されると、上記の上り伝送取消指示の傍受方法のステップが実現される。
【００１２】
第５態様として、本開示の実施例は、コンピュータプログラムが格納されているコンピュータ読み取り可能な記憶媒体を提供し、前記コンピュータプログラムがプロセッサによって実行されると、上記の上り伝送取消指示の傍受方法のステップが実現される。
【００１３】
第６態様として、本開示の実施例は、上りＢＷＰと下りＢＷＰとの少なくとも１つを含む帯域幅パートＢＷＰを端末が切り替える際に、上り伝送取消指示を傍受しない第５実行モジュールを含む端末を提供する。
【００１４】
第７態様として、本開示の実施例は、メモリと、プロセッサと、メモリに格納されてプロセッサで動作可能なコンピュータプログラムを含む端末を提供し、前記コンピュータプログラムが前記プロセッサによって実行されると、上記の上り伝送取消指示の傍受方法のステップが実現される。
【００１５】
第８態様として、本開示の実施例は、コンピュータプログラムが格納されているコンピュータ読み取り可能な記憶媒体を提供し、前記コンピュータプログラムがプロセッサによって実行されると、上記の上り伝送取消指示の傍受方法のステップが実現される。
発明の効果
【００１６】
本開示の実施例によれば、端末がＢＷＰを切り替える際に、端末による上り伝送取消指示の傍受行為を明確にすることで、端末が切り替え前後に上り伝送取消指示を正しく取得できることを保証し、通信の信頼性を向上させることができる。
【図面の簡単な説明】
【００１７】
本願の実施例や従来技術の技術手段をより明確に説明するために、以下、実施例や従来技術の記載に必要とされる図面を簡単に紹介する。明らかに、以下の記載に関する図面は、単に本願に記載の一部の実施例である。当業者にとって、創造性のある作業をしない前提で、これらの図面から他の図面を得ることもできる。
【００１８】
【図１】本願の実施例の上り伝送取消指示の傍受方法のフローチャートその１である。
【図２】本開示の実施例の端末のモジュール図その１である。
【図３】本開示の実施例の端末の構造ブロック図その１である。
【図４】本願の実施例の上り伝送取消指示の傍受方法のフローチャートその２である。
【図５】本開示の実施例の端末のモジュール図その２である。
【図６】本開示の実施例の端末の構造ブロック図その２である。
【発明を実施するための形態】
【００１９】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００２０】
本願の明細書及び特許請求の範囲における「第１」、「第２」などは、類似の対象を区別するために用いられるものであり、特定の順番や前後順序を記載するために用いられるものではない。このように使用されるデータは、ここに記載の本願の実施例が例えばここに図示又は記載のもの以外の順序でも実施可能となるように、適宜に互いに交換可能である。また、「含む」や「有する」及びそれらのあらゆる変形は、非排他的に含むことを意味する。例えば、一連のステップ又はユニットを含むプロセス、方法、システム、製品又は機器は、明確に列挙されているステップ又はユニットに限られず、明確に列挙されていないものや、これらのプロセス、方法、製品又は機器に固有の他のステップ又はユニットを含んでもよい。また、明細書及び特許請求の範囲に使用される「及び／又は」は、連結対象の少なくとも１つを含む。例えば、「Ａ及び／又はＢ」は、Ａのみ、ＡとＢの両方、Ｂのみの３種類のケースを示す。
【００２１】
本開示の実施例において、「例示的」又は「例えば」などの用語は、例、例証、又は説明を示すために使用される。「例示的」又は「例えば」として本開示の実施例に記載される任意の実施例又は設計は、他の実施例又は設計よりも好ましい又は有利であると解釈されるべきではない。適切に言うと、「例示的」又は「例えば」などの用語の使用は、関連概念を具体的に提示することを目的とする。
【００２２】
以下、図面とともに本開示の実施例を紹介する。本開示の実施例による上り伝送取消指示の傍受方法及び端末は、無線通信システムに応用することができる。該無線通信システムは、５Ｇ（５ｔｈ  Ｇｅｎｅｒａｔｉｏｎ）移動通信技術を採用したシステム（以下、いずれも単に５Ｇシステムという）であってもよく、５Ｇ  ＮＲシステムは、単なる例示であり、限定されないことは、当業者に理解される。
【００２３】
本開示の実施例の説明に際して、まず、以下の記載用いる概念の一部を説明する。
【００２４】
ｅＭＢＢサービスとＵＲＬＬＣサービスの多重化を必要とする場合、２種類の方式がある。１つは、半静的なリソース割当であり、ｅＭＢＢサービスの伝送とＵＲＬＬＣサービスの伝送は、それぞれ異なるリソースプールにある。この場合、ＵＲＬＬＣサービスに一部の時間周波数リソースを予約することに相当する。ＵＲＬＬＣサービスの分散及び不確実性のため、リソースを予約することは、リソース利用効率の低下をもたらす。もう１つの方式は、動的多重化であり、ｅＭＢＢサービス伝送とＵＲＬＬＣサービスの伝送は、同一のリソースプールを共有し、ｅＭＢＢとＵＲＬＬＣ伝送を基地局が動的にスケジューリングすることで多重化する。ＵＲＬＬＣ伝送の遅延要件により、基地局は、ｅＭＢＢ伝送に割り当てられたリソースにＵＲＬＬＣ伝送をスケジューリングすることを必要とする可能性がある。ｅＭＢＢ伝送とＵＲＬＬＣ伝送の動的多重化方式では、ＵＲＬＬＣ伝送の信頼性を保証するため、ｅＭＢＢ伝送によるＵＲＬＬＣ伝送への影響や干渉を低減する必要がある。ネットワークからｅＭＢＢのユーザにシグナリングを送信し、ｅＭＢＢサービスの伝送を一時停止又は取り消すことは、１つの可能な方法である。
【００２５】
この伝送取消シグナリングは、ｅＭＢＢ伝送が開始される前にユーザに通知する必要がある。これは、ＵＥ（Ｕｓｅｒ  Ｅｑｕｉｐｍｅｎｔ、端末ともいう）が伝送取消シグナリングの処理や、既に行われている上りデータ伝送を一時停止及び中断するのに時間を要するからである。
【００２６】
ｅＭＢＢ端末とＵＲＬＬＣ端末が同一リソースプールで動的多重化を行い、ｅＭＢＢ端末の伝送とＵＲＬＬＣ端末の伝送が時間領域／周波数領域でオーバーラップ（ｏｖｅｒｌａｐｐｉｎｇ）する場合、ネットワークは、上り伝送取消指示をｅＭＢＢ端末に送信し、ｅＭＢＢデータ伝送の取り消しをｅＭＢＢ端末に通知する。ｅＭＢＢ端末は、スケジューリング中にＤＬ／ＵＬ  ＢＷＰを切り替える可能性がある。本開示の実施例は、ＤＬ  ＢＷＰ又はＵＬ  ＢＷＰの切り替えプロセスにおいて、ｅＭＢＢ端末が上り伝送取消指示を検出して理解する行為を提供する。
【００２７】
具体的には、図１に示すように、図１は、本開示の実施例の上り伝送取消指示の傍受方法のフローチャートである。前記上り伝送取消指示の傍受方法は、端末に応用され、以下のステップを含む。
【００２８】
ステップ１０１において、帯域幅パートＢＷＰを端末が切り替える際に、ＢＷＰの切り替え中に上り伝送取消指示の傍受を行うか否かを第１所定設定情報に基づいて決定する。
【００２９】
なお、該第１所定設定情報は、下りＢＷＰに設定される上り伝送取消指示の第１設定情報と、上りＢＷＰに設定される上り伝送取消指示の第２設定情報との少なくとも１つを含む。ここで、前記第１設定情報は、上り伝送取消指示の傍受設定、例えば上り伝送取消指示の傍受周期及び傍受位置などを含む。前記第２設定情報は、上り伝送取消指示で伝送が取り消される時間周波数リソースの指示方式、例えば時間周波数リソースサイズ及び粒度などを含む。
【００３０】
該第１所定設定情報は、ネットワーク機器から端末に設定して端末に送信してもよく、他の上位層の無線リソース制御（ＲＲＣ）シグナリングから暗黙的に得られてもよく、プロトコルで取り決められてもよいが、端末が直接取得することができる。
【００３１】
なお、本開示の実施例で言うＢＷＰは、上りＢＷＰと下りＢＷＰの少なくとも一方を含む。すなわち、端末は、ＢＷＰの切り替えを行う際に、上りＢＷＰのみを切り替えてもよいし、下りＢＷＰのみを切り替えてもよいし、上りＢＷＰと下りＢＷＰを同時に切り替えてもよい。
【００３２】
ステップ１０２において、上り伝送取消指示の傍受が必要であると決定された場合、ＢＷＰの切り替え中に上り伝送取消指示を傍受する。
【００３３】
なお、切り替え中の傍受は、切り替え前の下りＢＷＰで行われる。
【００３４】
ステップ１０３において、上り伝送取消指示の傍受が不要と決定された場合、ＢＷＰの切り替え中に上り伝送取消指示を傍受しない。
【００３５】
なお、端末は、第１所定設定情報に基づいて上り伝送取消指示の傍受を行うか否かを決定した後に、第１所定設定情報の指示で上り伝送取消指示を傍受するか、又は、上り伝送取消指示を傍受しないことで、端末の上り伝送取消指示に対する傍受行為が明確となり、端末が切り替え前後で上り伝送取消指示を正しく取得することが保証され、通信の信頼性が保証される。
【００３６】
なお、本開示の実施例の端末は、ｅＭＢＢを行う端末であり、該上り伝送取消指示は、ネットワーク機器からｅＭＢＢを行っている端末に送信される。
【００３７】
なお、端末がＢＷＰを切り替える際に、何らの条件にも依らず、上り伝送取消指示を直接傍受しない。この場合、端末が帯域幅パートＢＷＰを切り替える際に、上り伝送取消指示を傍受しないように、通信プロトコルに直接取り決める。端末が具体的に実現する際に、例えば、活性になっている上りＢＷＰを切り替える際に、上り伝送取消指示を傍受せず、又は、活性になっている下りＢＷＰを切り替える際に、上り伝送取消指示を傍受せず、又は、活性になっている下りＢＷＰと上りＢＷＰを切り替える際に、上り伝送取消指示を傍受しない。
【００３８】
以下、ＢＷＰ切り替え中に上り伝送取消指示の傍受を行うか否かを端末がどのように決定するかを、それぞれのケースで具体的に説明する。
【００３９】
ケース１：端末が下りＢＷＰのみを切り替える場合。
具体的には、ＢＷＰの切り替え中に上り伝送取消指示の傍受を行うか否かを決定する一実現形態として、切り替え前又は切り替え後の下りＢＷＰに前記第１設定情報が設定されているか否かによって、ＢＷＰの切り替え中に上り伝送取消指示の傍受を行うか否かを決定する。
【００４０】
なお、この場合、端末は、切り替え前の下りＢＷＰに前記第１設定情報が設定されているか否かによって、ＢＷＰの切り替え中に上り伝送取消指示の傍受を行うか否かを決定し、即ち、切り替え前の下りＢＷＰに前記第１設定情報が設定されている場合、ＢＷＰの切り替え中に上り伝送取消指示の傍受を行うと決定し、切り替え前の下りＢＷＰに前記第１設定情報が設定されていない場合、ＢＷＰの切り替え中に上り伝送取消指示の傍受を行わないと決定する。
【００４１】
具体的には、ＢＷＰの切り替え中に上り伝送取消指示の傍受を行うか否かを決定する別の実現形態として、切り替え前の下りＢＷＰに設定された第１設定情報と、切り替え後の下りＢＷＰに設定された第１設定情報とが同一であるか否かによって、ＢＷＰの切り替え中に上り伝送取消指示の傍受を行うか否かを決定する。
【００４２】
なお、この場合、切り替え前の下りＢＷＰに設定された第１設定情報と、切り替え後の下りＢＷＰに設定された第１設定情報とが同一である場合、ＢＷＰの切り替え中に上り伝送取消指示の傍受を行うと決定し、切り替え前の下りＢＷＰに設定された第１設定情報と、切り替え後の下りＢＷＰに設定された第１設定情報とが異なる場合、ＢＷＰの切り替え中に上り伝送取消指示の傍受を行わないと決定する。なお、切り替え後の下りＢＷＰに第１設定情報が設定されていない場合も、端末は、切り替え前の下りＢＷＰに設定された第１設定情報と、切り替え後の下りＢＷＰに設定された第１設定情報とが異なる場合と同じく処理する。
【００４３】
以下、端末による傍受の決定を例示する。
【００４４】
端末による下りＢＷＰの切り替えにおいて、切り替え前は、下りＢＷＰ１であり、切り替え後は、下りＢＷＰ２である。
【００４５】
Ａ１．下りＢＷＰ１に第１設定情報が設定され、下りＢＷＰ２に第１設定情報が設定されていなければ、端末は、ＢＷＰを切り替える際に、以下の方式のうちの１つを採用する。
Ａ１１．端末は、下りＢＷＰの切り替えの際に、上り伝送取消指示を傍受しない。
Ａ１２．端末は、下りＢＷＰの切り替えの際に、下りＢＷＰ１に第１設定情報が設定されていることに応じて、上り伝送取消指示を傍受すると決定する。
Ａ１３．端末は、下りＢＷＰの切り替えの際に、下りＢＷＰ２に第１設定情報が設定されていないことに応じて、上り伝送取消指示を傍受しないと決定する。
Ａ１４．端末は、下りＢＷＰの切り替えの際に、下りＢＷＰ２に第１設定情報が設定されていないため、下りＢＷＰ１の第１設定情報と下りＢＷＰ２の第１設定情報が異なることにより、上り伝送取消指示を傍受しないと決定する。
【００４６】
Ａ２．下りＢＷＰ１に第１設定情報が設定され、下りＢＷＰ２にも第１設定情報が設定されていれば、端末は、ＢＷＰを切り替える際に、以下の方式のいずれかを採用する。
Ａ２１．端末は、下りＢＷＰの切り替えの際に、上り伝送取消指示を傍受しない。
Ａ２２．端末は、下りＢＷＰの切り替えの際に、下りＢＷＰ１又は下りＢＷＰ２に第１設定情報が設定されていることに応じて、上り伝送取消指示を傍受すると決定する。
Ａ２３．端末は、下りＢＷＰの切り替えの際に、下りＢＷＰ１の設定されている第１設定情報と下りＢＷＰ２の設定されている第１設定情報が同じであることに応じて、上り伝送取消指示を傍受すると決定し、そうでなければ、上り伝送取消指示を傍受しない。
【００４７】
Ａ３．下りＢＷＰ１に第１設定情報が設定されておらず、下りＢＷＰ２に第１設定情報が設定されていれば、端末は、ＢＷＰを切り替える際に、以下の方式の１つを採用する。
Ａ３１．端末は、下りＢＷＰの切り替えの際に、上り伝送取消指示を傍受しない。
Ａ３２．端末は、下りＢＷＰの切り替えの際に、下りＢＷＰ１に第１設定情報が設定されていないことに応じて、上り伝送取消指示を傍受しないと決定する。
【００４８】
ケース２：端末が上りＢＷＰのみを切り替える場合。
具体的には、ＢＷＰの切り替え中に上り送信取消指示の傍受を行うか否かを決定する一実現形態として、切り替え前又は切り替え後の上りＢＷＰに前記第２設定情報が設定されているか否かによって、ＢＷＰの切り替え中に上り伝送取消指示の傍受を行うか否かを決定する。
【００４９】
なお、この場合、端末は、切り替え前の上りＢＷＰに前記第２設定情報が設定されているか否かによって、ＢＷＰの切り替え中に上り伝送取消指示の傍受を行うか否かを決定し、即ち、切り替え前の上りＢＷＰに前記第２設定情報が設定されている場合、ＢＷＰの切り替え中に上り伝送取消指示の傍受を行うと決定し、切り替え前の上りＢＷＰに前記第２設定情報が設定されていない場合、ＢＷＰの切り替え中に上り伝送取消指示の傍受を行わないと決定する。
【００５０】
具体的には、ＢＷＰの切り替え中に上り送信取消指示の傍受を行うか否かを決定する別の実現形態として、切り替え前の上りＢＷＰに設定された第２設定情報と、切り替え後の上りＢＷＰに設定された第２設定情報とが同一であるか否かによって、ＢＷＰの切り替え中に上り伝送取消指示の傍受を行うか否かを決定する。
【００５１】
なお、この場合、切り替え前の上りＢＷＰに設定された第２設定情報と、切り替え後の上りＢＷＰに設定された第２設定情報とが同一である場合、ＢＷＰの切り替え中に上り伝送取消指示の傍受を行うと決定し、切り替え前の上りＢＷＰに設定された第２設定情報と、切り替え後の上りＢＷＰに設定された第２設定情報とが異なる場合、ＢＷＰの切り替え中に上り伝送取消指示の傍受を行わないと決定する。なお、切り替え後の上りＢＷＰに第２設定情報が設定されていない場合も、端末は、切り替え前の上りＢＷＰに設定された第２設定情報と、切り替え後の上りＢＷＰに設定された第２設定情報とが異なる場合と同じく処理する。
【００５２】
以下、端末による傍受の決定を例示する。
【００５３】
端末による上りＢＷＰの切り替えにおいて、切り替え前は、上りＢＷＰ１であり、切り替え後は、上りＢＷＰ２である。
【００５４】
Ｂ１．上りＢＷＰ１に第２設定情報が設定され、上りＢＷＰ２に第２設定情報が設定されていなければ、端末は、ＢＷＰを切り替える際に、以下の方式のうちの１つを採用する。
Ｂ１１．端末は、上りＢＷＰの切り替えの際に、上り伝送取消指示を傍受しない。
Ｂ１２．端末は、上りＢＷＰの切り替えの際に、上りＢＷＰ１に第２設定情報が設定されていることに応じて、上り伝送取消指示を傍受すると決定する。
Ｂ１３．端末は、上りＢＷＰの切り替えの際に、上りＢＷＰ２に第２設定情報が設定されていないことに応じて、上り伝送取消指示を傍受しないと決定する。
Ｂ１４．端末は、上りＢＷＰの切り替えの際に、上りＢＷＰ２に第２設定情報が設定されていないため、上りＢＷＰ１の第２設定情報と上りＢＷＰ２の第２設定情報が異なることにより、上り伝送取消指示を傍受しないと決定する。
【００５５】
Ｂ２．上りＢＷＰ１に第２設定情報が設定され、上りＢＷＰ２にも第２設定情報が設定されていれば、端末は、ＢＷＰを切り替える際に、以下の方式のいずれかを採用する。
Ｂ２１．端末は、上りＢＷＰの切り替えの際に、上り伝送取消指示を傍受しない。
Ｂ２２．端末は、上りＢＷＰの切り替えの際に、上りＢＷＰ１又は上りＢＷＰ２に第２設定情報が設定されていることに応じて、上り伝送取消指示を傍受すると決定する。
Ｂ２３．端末は、上りＢＷＰの切り替えの際に、上りＢＷＰ１の設定されている第２設定情報と上りＢＷＰ２の設定されている第２設定情報が同じであることに応じて、上り伝送取消指示を傍受すると決定し、そうでなければ、上り伝送取消指示を傍受しない。
【００５６】
Ｂ３．上りＢＷＰ１に第２設定情報が設定されておらず、上りＢＷＰ２に第２設定情報が設定されていれば、端末は、ＢＷＰを切り替える際に、以下の方式の１つを採用する。
Ｂ３１．端末は、上りＢＷＰの切り替えの際に、上り伝送取消指示を傍受しない。
Ｂ３２．端末は、上りＢＷＰの切り替えの際に、上りＢＷＰ１に第２設定情報が設定されていないことに応じて、上り伝送取消指示を傍受しないと決定する。
Ｂ３３．端末は、上りＢＷＰの切り替えの際に、上りＢＷＰ２に第２設定情報が設定されていることに応じて、上り伝送取消指示を傍受すると決定する。
【００５７】
ケース３：端末が下りＢＷＰと上りＢＷＰの切り替えを同時に行う。
具体的には、ＢＷＰの切り替え中に上り伝送取消指示の傍受を行うか否かを決定する一実現形態として、下りＢＷＰに前記第１設定情報が設定され且つ上りＢＷＰに前記第２設定情報が設定された完全な設定情報が切り替え前又は切り替え後の上りＢＷＰと下りＢＷＰに設定されているか否かによって、ＢＷＰの切り替え中に上り伝送取消指示の傍受を行うか否かを決定する。
【００５８】
このような場合の具体的な実現形態として、切り替え前の上りＢＷＰに第２設定情報が設定され、且つ切り替え前の下りＢＷＰにも第１設定情報が設定される場合、ＢＷＰの切り替え中に上り伝送取消指示の傍受を行い、切り替え前の上りＢＷＰに第２設定情報が設定されていても、切り替え前の下りＢＷＰに第１設定情報が設定されていなければ、ＢＷＰの切り替え中に上り伝送取消指示の傍受を行わず、切り替え前の上りＢＷＰに第２設定情報が設定されておらず、切り替え前の下りＢＷＰに第１設定情報が設定されていれば、ＢＷＰの切り替え中に上り伝送取消指示の傍受を行わず、切り替え後の上りＢＷＰに第２設定情報が設定され、且つ切り替え後の下りＢＷＰにも第１設定情報が設定されていれば、ＢＷＰの切り替え中に上り伝送取消指示の傍受を行い、切り替え後の上りＢＷＰに第２設定情報が設定されていても、切り替え後の下りＢＷＰに第１設定情報が設定されていなければ、ＢＷＰの切り替え中は上り伝送取消指示の傍受を行わず、切り替え後の上りＢＷＰに第２設定情報が設定されておらず、切り替え後の下りＢＷＰに第１設定情報が設定されていれば、ＢＷＰの切り替え中に上り伝送取消指示の傍受を行わない。
【００５９】
なお、端末が活性になっているＢＷＰにあるとき、上り伝送をスケジューリングする下り制御情報（ＤＣＩ）を受信することで、物理上り共有チャネル（ＰＵＳＣＨ）伝送を開始する。この場合、端末は、上り伝送をスケジューリングするＤＣＩを受信できなければ、上り伝送取消指示を傍受せず、上り伝送をスケジューリングするＤＣＩを受信した場合、上り伝送取消指示を傍受する。
【００６０】
更に、端末は、ＢＷＰを切り替える際に、上り伝送をスケジューリングするＤＣＩを端末が受信しない限り、上り伝送取消指示を傍受しないように、傍受の実行を行う。
【００６１】
例えば、端末は、ＰＵＳＣＨ伝送をスケジューリングするＤＣＩを受信していなかった場合、上り伝送取消指示を傍受する必要がない。ここで、ＤＣＩは、セル無線ネットワーク一時識別子（Ｃ−ＲＮＴＩ）、半静的スケジューリング無線ネットワーク一時識別子（ＣＳ−ＲＮＴＩ）、及び半静的チャネル状態指示報告無線ネットワーク一時識別子（ＳＰ−ＣＳＩ−ＲＮＴＩ）のうちの少なくとも１つでサイクリック冗長検査コード（ＣＲＣ）をスクランブルする。
【００６２】
端末が上り伝送取消指示の傍受を行い、上り伝送取消指示を検出した後、該上り伝送取消指示に基づいて後続の動作を行う必要があり、選択可能に、上り伝送取消指示を傍受した後に、本開示の実施例の上り伝送取消指示の傍受方法は、上り伝送取消指示が検出された後に、第１ＢＷＰの上り伝送取消指示の設定情報に基づいて、上り伝送が取り消しになる時間周波数リソースを決定することを更に含む。ここで、前記第１ＢＷＰは、切り替え前の上りＢＷＰと、切り替え前の下りＢＷＰと、切り替え後の上りＢＷＰと、切り替え後の下りＢＷＰとのうちの少なくとも１つを含む。なお、上りＢＷＰについては、設定情報が前述した第２設定情報であり、下りＢＷＰについては、設定情報が前述した第１設定情報である。
【００６３】
選択可能に、上り伝送取消指示を傍受した後に、本開示の実施例の上り伝送取消指示の傍受方法において、上り伝送取消指示が検出された後に、第２所定設定情報に基づいて、上り伝送が取り消しになる時間周波数リソースを決定することを更に含む。
【００６４】
なお、該第２所定設定情報には、設定された上りＢＷＰを含む。なお、該設定された上りＢＷＰは、活性になっている上りＢＷＰを含む。選択可能に、端末は、上り伝送が取り消しになる時間周波数リソースを決定する際に、スケジューリングされた上り伝送が位置する上りＢＷＰに基づいて、取り消しが必要な上り伝送の周波数領域リソースを、前記上りＢＷＰの周波数領域リソースに決定する。
【００６５】
選択可能に、上り伝送取消指示を傍受した後に、本開示の実施例の上り伝送取消指示の傍受方法において、上り伝送取消指示が検出された後に、検出された前記上り伝送取消指示を無視することを更に含む。
【００６６】
なお、ＢＷＰの切り替えが発生すると、端末は、切り替え前のＢＷＰの上り伝送取消指示の設定情報と、切り替え後のＢＷＰの上り伝送取消指示の設定情報とを取得することができるので、両者は同じでもよく、異なっていてもよい。更に、検出された前記上り伝送取消指示を無視するステップの具体的な実現形態として、切り替え前のＢＷＰの上り伝送取消指示の設定情報と、切り替え後のＢＷＰの上り伝送取消指示の設定情報とが、少なくとも部分的に異なる（全く異なる場合と一部が同一の場合を含む）場合、検出した前記上り伝送取消指示を無視し、切り替え前のＢＷＰの上り伝送取消指示の設定情報と切り替え後のＢＷＰの上り伝送取消指示の設定情報とが同じ場合、端末は、検出した上り伝送取消指示を無視することはない。
【００６７】
以下、上り伝送取消指示検出後の端末の後続動作について例示する。
【００６８】
ケース１：端末が下りＢＷＰを切り替え、且つ端末が上り伝送取消指示を検出した場合、端末は、以下の方法のうちの１つを実行する。
【００６９】
Ｃ１．端末は、切り替え前の下りＢＷＰの上り伝送取消指示の設定情報に基づいて、上り伝送が取り消しになる時間周波数リソースを決定する。
なお、該上り伝送取消指示の設定情報は、上り伝送取消指示のシグナリングフォーマット、シグナリングサイズなどの情報である。
【００７０】
Ｃ２．端末は、検出された上り伝送取消指示を無視する。
なお、この場合、端末は、上り伝送取消指示を検出したとしても、該上り伝送取消指令に従って上り伝送の取り消しを行うことをせず、上り伝送取消指示が検出されるまでの状態に従って、上り伝送を継続する。
【００７１】
ケース２．端末が上りＢＷＰを切り替え、且つ端末が上り伝送取消指示を検出した場合、端末は、以下の方法のうちの１つを実行する。
【００７２】
Ｄ１．端末は、切り替え前の上りＢＷＰの上り伝送取消指示の設定情報に基づいて、上り伝送が取り消しになる時間周波数リソースを決定する。
なお、該切り替え前の上りＢＷＰの上り伝送取消指示の設定情報は、上り伝送取消指示の時間領域又は周波数領域の指示方式、粒度、基準時間周波数領域サイズなどの情報である。
【００７３】
Ｄ２．端末は、切り替え後の上りＢＷＰの上り伝送取消指示の設定情報に基づいて、上り伝送が取り消しになる時間周波数リソースを決定する。
なお、該切り替え後の上りＢＷＰの上り伝送取消指示の設定情報は、上り伝送取消指示の時間領域又は周波数領域の指示方式、粒度、基準時間周波数領域サイズなどの情報である。
【００７４】
Ｄ３．端末は、上り伝送が取り消しになる周波数領域リソースを、スケジューリングされた上り伝送が位置する上りＢＷＰの周波数領域リソースに決定する。
【００７５】
Ｄ４．端末は、検出された上り伝送取消指示を無視する。
なお、この場合、端末は、上り伝送取消指示を検出したとしても、該上り伝送取消指令に従って上り伝送の取り消しを行うことをせず、上り伝送取消指示が検出されるまでの状態に従って、上り伝送を継続する。
【００７６】
本開示の実施例は、上りＢＷＰ及び下りＢＷＰの少なくとも一方の切り替えが発生した場合、端末が上り伝送取消指示を検出して受信する行為を提供することにより、上りＢＷＰ及び下りＢＷＰの少なくとも一方の切り替わり前後で端末が曖昧に理解する問題を回避し、端末が切り替わり前後で上り伝送取消指示を正しく取得することを保証し、通信の信頼性を保証する。
【００７７】
図２に示すように、本開示の実施例は、端末２００を更に提供し、帯域幅パートＢＷＰを端末が切り替える際に、ＢＷＰの切り替え中に上り伝送取消指示の傍受を行うか否かを第１所定設定情報に基づいて決定する第１決定モジュール２０１と、上り伝送取消指示の傍受が必要であると決定された場合、ＢＷＰの切り替え中に上り伝送取消指示を傍受する第１実行モジュール２０２と、上り伝送取消指示の傍受が不要と決定された場合、ＢＷＰの切り替え中に上り伝送取消指示を傍受しない第２実行モジュール２０３とを含む。
【００７８】
具体的には、前記第１所定設定情報は、下りＢＷＰに設定される上り伝送取消指示の第１設定情報と、上りＢＷＰに設定される上り伝送取消指示の第２設定情報との少なくとも１つを含む。
【００７９】
具体的には、前記端末が下りＢＷＰの切り替えのみを行う場合、前記第１実行モジュールは、切り替え前又は切り替え後の下りＢＷＰに前記第１設定情報が設定されているか否かによって、ＢＷＰの切り替え中に上り伝送取消指示の傍受を行うか否かを決定する。
【００８０】
具体的には、前記端末が下りＢＷＰの切り替えのみを行う場合、前記第１実行モジュールは、切り替え前の下りＢＷＰに設定された第１設定情報と、切り替え後の下りＢＷＰに設定された第１設定情報とが同一であるか否かによって、ＢＷＰの切り替え中に上り伝送取消指示の傍受を行うか否かを決定する。
【００８１】
具体的には、前記端末が上りＢＷＰの切り替えのみを行う場合、前記第１実行モジュールは、切り替え前又は切り替え後の上りＢＷＰに前記第２設定情報が設定されているか否かによって、ＢＷＰの切り替え中に上り伝送取消指示の傍受を行うか否かを決定する。
【００８２】
具体的には、前記端末が上りＢＷＰの切り替えのみを行う場合、前記第１実行モジュールは、切り替え前の上りＢＷＰに設定された第２設定情報と、切り替え後の上りＢＷＰに設定された第２設定情報とが同一であるか否かによって、ＢＷＰの切り替え中に上り伝送取消指示の傍受を行うか否かを決定する。
【００８３】
具体的には、前記端末が下りＢＷＰと上りＢＷＰの切り替えを同時に行う場合、前記第１実行モジュールは、下りＢＷＰに前記第１設定情報が設定され且つ上りＢＷＰに前記第２設定情報が設定された完全な設定情報が切り替え前又は切り替え後の上りＢＷＰと下りＢＷＰに設定されているか否かによって、ＢＷＰの切り替え中に上り伝送取消指示の傍受を行うか否かを決定する。
【００８４】
更に、前記端末は、上り伝送をスケジューリングする下り制御情報を端末が受信しなかった場合、上り伝送取消指示を傍受しない第３実行モジュールを更に含む。
【００８５】
具体的には、前記第１実行モジュールがＢＷＰの切り替え中に上り伝送取消指示を傍受した後に、上り伝送取消指示が検出された後に、切り替え前の上りＢＷＰと、切り替え前の下りＢＷＰと、切り替え後の上りＢＷＰと、切り替え後の下りＢＷＰとのうちの少なくとも１つを含む第１ＢＷＰの上り伝送取消指示の設定情報に基づいて、上り伝送が取り消しになる時間周波数リソースを決定する第２決定モジュールを更に含む。
【００８６】
具体的には、前記第１実行モジュールがＢＷＰの切り替え中に上り伝送取消指示を傍受した後に、上り伝送取消指示が検出された後に、第２所定設定情報に基づいて、上り伝送が取り消しになる時間周波数リソースを決定する第３決定モジュールを更に含む。
【００８７】
具体的には、前記第２所定設定情報には、設定されている上りＢＷＰを含む。
【００８８】
更に、前記第１実行モジュールがＢＷＰの切り替え中に上り伝送取消指示を傍受した後に、上り伝送取消指示が検出された後に、検出された前記上り伝送取消指示を無視する第４実行モジュールを更に含む。
【００８９】
具体的には、前記第４実行モジュールは、切り替え前のＢＷＰの上り伝送取消指示の設定情報と、切り替え後のＢＷＰの上り伝送取消指示の設定情報とが、少なくとも部分的に異なる場合、検出された前記上り伝送取消指示を無視する。
【００９０】
本開示の実施例の端末２００は、図１の方法実施例における端末２００によって実現される各プロセスを実現可能であり、重複を避けるために、ここでは繰り返して記載しない。本開示の実施例の端末２００は、端末がＢＷＰを切り替える際に、端末による上り伝送取消指示の傍受行為を明確にすることで、端末が切替前後に上り伝送取消指示を正しく取得できることを保証し、通信の信頼性を向上させることができる。
【００９１】
図３は、本開示の実施例を実現する端末のハードウェア構造図である。該端末３０は、ラジオ周波数ユニット３１０と、ネットワークモジュール３２０と、音声出力ユニット３３０と、入力ユニット３４０と、センサ３５０と、表示ユニット３６０と、ユーザ入力ユニット３７０と、インタフェースユニット３８０と、メモリ３９０と、プロセッサ３１１と、電源３１２などの構成要素を含むが、これらに限定されない。図３に示される端末の構造は、端末を限定するものではなく、端末は、図示されるよりも多い又は少ない構成要素を含むことができ、又は特定の構成要素を組み合わせることができ、又は異なる構成要素の設定を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００９２】
ここで、プロセッサ３１１は、帯域幅パートＢＷＰを端末が切り替える際に、ＢＷＰの切り替え中に上り伝送取消指示の傍受を行うか否かを第１所定設定情報に基づいて決定し、上り伝送取消指示の傍受が必要であると決定された場合、ＢＷＰの切り替え中に上り伝送取消指示を傍受し、上り伝送取消指示の傍受が不要と決定された場合、ＢＷＰの切り替え中に上り伝送取消指示を傍受しない。
【００９３】
本開示の実施例の端末は、端末がＢＷＰを切り替える際に、端末による上り伝送取消指示の傍受行為を明確にすることで、端末が切替前後に上り伝送取消指示を正しく取得できることを保証し、通信の信頼性を向上させることができる。
【００９４】
なお、本開示の実施例において、ラジオ周波数ユニット３１０は、情報の送受信又は通話中で信号の送受信に用いられ、具体的に、ネットワーク機器から下りデータを受信した後、プロセッサ３１１による処理に供し、また、上りデータをネットワーク機器に送信する。一般に、ラジオ周波数ユニット３１０は、アンテナ、少なくとも１つの増幅器、トランシーバ、結合器、低雑音増幅器、デュプレクサなどを含むが、それらに限定されない。また、ラジオ周波数ユニット３１０は、無線通信システムを介してネットワークや他の機器と通信を行うこともできる。
【００９５】
端末は、ネットワークモジュール３２０を介して、電子メールの送受信、ウェブページの閲覧、ストリーミングメディアへのアクセスを支援するなど、無線ブロードバンドインターネットアクセスをユーザに提供する。
【００９６】
音声出力ユニット３３０は、ラジオ周波数ユニット３１０やネットワークモジュール３２０が受信した音声データや、メモリ３９０に記憶された音声データを音声信号に変換して音声として出力することができる。また、音声出力ユニット３３０は、端末３０が実行する特定の機能に関する音声（例えば、呼出信号着信音、メッセージ着信音等）を出力してもよい。音声出力ユニット３３０は、スピーカ、ブザー及びレシーバなどを含む。
【００９７】
入力ユニット３４０は、音声や映像の信号を受信することに用いられる。入力ユニット３４０は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）３４１と、マイク３４２とを含む。処理された画像フレームは、表示ユニット３６０上に表示される。グラフィックスプロセッサ３４１で処理された画像フレームは、メモリ３９０（又は他の記憶媒体）に記憶されるか、又はラジオ周波数ユニット３１０又はネットワークモジュール３２０を介して送信される。マイク３４２は、音声を受信し、音声データに加工することができる。処理された音声データは、電話通話モードの場合、ラジオ周波数ユニット３１０を介して移動体通信基地局に送信可能な形式に変換して出力することができる。
【００９８】
端末３０は、光センサ、モーションセンサ及び他のセンサのような少なくとも１つのセンサ３５０を更に含む。具体的には、光センサは、周辺光センサ及び近接センサを含む。周辺光センサは、周辺光の明暗に応じて表示パネル３６１の輝度を調節し、近接センサは、端末３０が耳に移動したときに表示パネル３６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ３５０は、指紋センサ、圧力センサ、虹彩センサ、分子センサ、ジャイロスコープ、気圧計、湿度計、温度計、赤外線センサなどを更に含むことができるが、ここでは枚挙しない。
【００９９】
表示ユニット３６０は、ユーザが入力した情報やユーザに提供した情報を表示するために用いられる。表示ユニット３６０は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル３６１を含んでもよい。
【０１００】
ユーザ入力ユニット３７０は、数字や文字情報の入力を受け付け、ユーザによる端末の設定や機能制御に関するキー信号の入力を行うことに用いられる。具体的に、ユーザ入力ユニット３７０は、タッチパネル３７１と、その他の入力機器３７２とを含む。タッチパネル３７１は、タッチスクリーンとも呼ばれ、その上又は付近でのユーザのタッチ操作を取得可能である（たとえばユーザが指やスタイラスなどの任意の適切な物体や付属部材を用いたタッチパネル３７１の上又はタッチパネル３７１の付近での操作）。タッチパネル３７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ３１１に送り、プロセッサ３１１からの命令を受信して実行する。なお、タッチパネル３７１は、抵抗膜式、静電容量式、赤外線、表面弾性波など、種々の方式を用いて実現することができる。ユーザ入力ユニット３７０は、タッチパネル３７１の他に、他の入力機器３７２を含んでもよい。具体的に、他の入力機器３７２は、物理的なキーボード、機能キー（例えば、音量調節キー、スイッチキーなど）、トラックボール、マウス、レバーを含むが、ここでは枚挙しない。
【０１０１】
更に、タッチパネル３７１は、表示パネル３６１に重ねられる。タッチパネル３７１は、その上又はその近くでタッチ操作を検出すると、プロセッサ３１１に送信して、タッチイベントのタイプを決定する。次いで、プロセッサ３１１は、タッチイベントのタイプに応じて、対応する視覚的出力を表示パネル３６１に提供する。図３では、タッチパネル３７１と表示パネル３６１は、独立した２つの部品として端末の入出力機能を実現するが、実施例によっては、タッチパネル３７１と表示パネル３６１を一体化して端末の入出力機能を実現することもでき、具体的にここでは限定しない。
【０１０２】
インタフェースユニット３８０は、外部装置と端末３０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット３８０は、外部装置から入力（たとえば、データ情報、電力など）を受信し、受信した入力を端末３０内の１つ以上の要素に伝送するために使用されてもよく、又は端末３０と外部装置との間でデータを伝送するために使用されてもよい。
【０１０３】
メモリ３９０は、ソフトウェアプログラム及び様々なデータを格納するために使用される。メモリ３９０は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ３９０は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０１０４】
プロセッサ３１１は、端末の制御センタであり、各種インタフェースや回線を用いて端末全体の各部を接続し、メモリ３９０に格納されたソフトウェアプログラム及び／又はモジュールを実行、メモリ３９０に格納されたデータを呼び出して端末の各種機能及び処理データを実行し、端末全体の監視を行う。プロセッサ３１１は、１つ以上の処理ユニットを含んでもよい。選択可能に、プロセッサ３１１は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ３１１に統合されなくてもよいことが理解される。
【０１０５】
端末３０は、各構成要素に電力を供給するためのバッテリのような電源３１２を更に含んでもよい。選択可能に、電源３１２は、電源管理システムを介してプロセッサ３１１に論理的に接続されてもよく、電源管理システムを介して充電、放電、及び消費電力管理などを管理する機能を実現してもよい。
【０１０６】
また、端末３０は、図示しない機能モジュールを更に含んでもよく、ここでの説明は省略する。
【０１０７】
好ましくは、本開示の実施例は、プロセッサ３１１と、メモリ３９０と、メモリ３９０に格納されて前記プロセッサ３１１で動作可能なコンピュータプログラムを含む端末を更に提供し、該コンピュータプログラムがプロセッサ３１１によって実行されると、端末側に応用される上り伝送取消指示の傍受方法の実施例の各プロセスが実現され、且つ同じ技術効果を奏することもできるので、重複を避けるために、ここでは繰り返して記載しない。
【０１０８】
本開示の実施例は、コンピュータプログラムが格納されているコンピュータ読み取り可能な記憶媒体を更に提供し、当該コンピュータプログラムがプロセッサによって実行されると、端末側に応用される上り伝送取消指示の傍受方法の実施例の各プロセスが実現され、且つ同じ技術効果を奏することもできるので、重複を避けるために、ここでは繰り返して記載しない。ここで、前記コンピュータ読み取り可能な記憶媒体は、たとえば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ  ）、磁気ディスク又は光ディスクなどなどである。
【０１０９】
図４に示すように、本開示の実施例の端末に応用される別の上り伝送取消指示の傍受方法において、帯域幅パートＢＷＰを端末が切り替える際に、上り伝送取消指示を傍受しないステップ４０１を含む。
【０１１０】
具体的には、該ＢＷＰは、上りＢＷＰと下りＢＷＰとの少なくとも１つを含み、かつ端末が切り替えるＢＷＰは、現在の活性ＢＷＰである。
【０１１１】
この場合、端末が帯域幅パートＢＷＰを切り替える際に、上り伝送取消指示を傍受しないように、通信プロトコルに直接取り決める。端末が具体的に実現する際に、例えば、活性になっている上りＢＷＰを切り替える際に、上り伝送取消指示を傍受せず、又は、活性になっている下りＢＷＰを切り替える際に、上り伝送取消指示を傍受せず、又は、活性になっている下りＢＷＰと上りＢＷＰを切り替える際に、上り伝送取消指示を傍受しない。
【０１１２】
図５に示すように、図４の上り伝送取消指示の傍受方法に対応して、本開示の実施例は、端末５００を更に提供し、上りＢＷＰと下りＢＷＰとの少なくとも１つを含む帯域幅パートＢＷＰを端末が切り替える際に、上り伝送取消指示を傍受しない第５実行モジュール５０１を含む。
【０１１３】
なお、本開示の実施例の端末は、端末がＢＷＰを切り替える際に、端末による上り伝送取消指示の傍受行為を明確にすることで、端末が切り替え前後に上り伝送取消指示を正しく取得できることを保証し、通信の信頼性を向上させることができる。
【０１１４】
図６は、本開示の実施例を実現する端末のハードウェア構造図である。該端末６０は、ラジオ周波数ユニット６１０と、ネットワークモジュール６２０と、音声出力ユニット６３０と、入力ユニット６４０と、センサ６５０と、表示ユニット６６０と、ユーザ入力ユニット６７０と、インタフェースユニット６８０と、メモリ６９０と、プロセッサ６１１と、電源６１２などの構成要素を含むが、これらに限定されない。図６に示される端末の構造は、端末を限定するものではなく、端末は、図示されるよりも多い又は少ない構成要素を含むことができ、又は特定の構成要素を組み合わせることができ、又は異なる構成要素の設定を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【０１１５】
ここで、プロセッサ６１１は、上りＢＷＰと下りＢＷＰとの少なくとも１つを含む帯域幅パートＢＷＰを端末が切り替える際に、上り伝送取消指示を傍受しない。
【０１１６】
本開示の実施例の端末は、端末がＢＷＰを切り替える際に、端末による上り伝送取消指示の傍受行為を明確にすることで、端末が切り替え前後に上り伝送取消指示を正しく取得できることを保証し、通信の信頼性を向上させることができる。
【０１１７】
なお、本開示の実施例において、ラジオ周波数ユニット６１０は、情報の送受信又は通話中で信号の送受信に用いられ、具体的に、ネットワーク機器からの下りデータを受信した後、プロセッサ６１１による処理に供し、また、上りデータをネットワーク機器に送信する。一般に、ラジオ周波数ユニット６１０は、アンテナ、少なくとも１つの増幅器、トランシーバ、結合器、低雑音増幅器、デュプレクサなどを含むが、それらに限定されない。また、ラジオ周波数ユニット６１０は、無線通信システムを介してネットワークや他の機器と通信を行うこともできる。
【０１１８】
端末は、ネットワークモジュール６２０を介して、電子メールの送受信、ウェブページの閲覧、ストリーミングメディアへのアクセスを支援するなど、無線ブロードバンドインターネットアクセスをユーザに提供する。
【０１１９】
音声出力ユニット６３０は、ラジオ周波数ユニット６１０やネットワークモジュール６２０が受信した音声データや、メモリ６９０に記憶された音声データを音声信号に変換して音声として出力することができる。また、音声出力ユニット６３０は、端末６０が実行する特定の機能に関する音声（例えば、呼出信号着信音、メッセージ着信音等）を出力してもよい。音声出力ユニット６３０は、スピーカ、ブザー及びレシーバなどを含む。
【０１２０】
入力ユニット６４０は、音声や映像の信号を受信することに用いられる。入力ユニット６４０は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）６４１と、マイク６４２とを含む。処理された画像フレームは、表示ユニット６６０上に表示される。グラフィックスプロセッサ６４１で処理された画像フレームは、メモリ６９０（又は他の記憶媒体）に記憶されるか、又はラジオ周波数ユニット６１０又はネットワークモジュール６２０を介して送信される。マイク６４２は、音声を受信し、音声データに加工することができる。処理された音声データは、電話通話モードの場合、ラジオ周波数ユニット６１０を介して移動体通信基地局に送信可能な形式に変換して出力することができる。
【０１２１】
端末６０は、光センサ、モーションセンサ及び他のセンサのような少なくとも１つのセンサ６５０を更に含む。具体的には、光センサは、周辺光センサ及び近接センサを含む。周辺光センサは、周辺光の明暗に応じて表示パネル６６１の輝度を調節し、近接センサは、端末６０が耳に移動したときに表示パネル６６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ６５０は、指紋センサ、圧力センサ、虹彩センサ、分子センサ、ジャイロスコープ、気圧計、湿度計、温度計、赤外線センサなどを更に含むことができるが、ここでは枚挙しない。
【０１２２】
表示ユニット６６０は、ユーザが入力した情報やユーザに提供した情報を表示するために用いられる。表示ユニット６６０は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル６６１を含んでもよい。
【０１２３】
ユーザ入力ユニット６７０は、数字や文字情報の入力を受け付け、ユーザによる端末の設定や機能制御に関するキー信号の入力を行うことに用いられる。具体的に、ユーザ入力ユニット６７０は、タッチパネル６７１と、その他の入力機器６７２とを含む。タッチパネル６７１は、タッチスクリーンとも呼ばれ、その上又は付近でのユーザのタッチ操作を取得可能である（たとえばユーザが指やスタイラスなどの任意の適切な物体や付属部材を用いたタッチパネル６７１の上又はタッチパネル６７１の付近での操作）。タッチパネル６７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ６１１に送り、プロセッサ６１１からの命令を受信して実行する。なお、タッチパネル６７１は、抵抗膜式、静電容量式、赤外線、表面弾性波など、種々の方式を用いて実現することができる。ユーザ入力ユニット６７０は、タッチパネル６７１の他に、他の入力機器６７２を含んでもよい。具体的に、他の入力機器６７２は、物理的なキーボード、機能キー（例えば、音量調節キー、スイッチキーなど）、トラックボール、マウス、レバーを含むが、ここでは枚挙しない。
【０１２４】
更に、タッチパネル６７１は、表示パネル６６１に重ねられる。タッチパネル６７１は、その上又はその近くでタッチ操作を検出すると、プロセッサ６１１に送信して、タッチイベントのタイプを決定する。次いで、プロセッサ６１１は、タッチイベントのタイプに応じて、対応する視覚的出力を表示パネル６６１に提供する。図６では、タッチパネル６７１と表示パネル６６１は、独立した２つの部品として端末の入出力機能を実現するが、実施例によっては、タッチパネル６７１と表示パネル６６１を一体化して端末の入出力機能を実現することもでき、具体的にここでは限定しない。
【０１２５】
インタフェースユニット６８０は、外部装置と端末６０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット６８０は、外部装置から入力（たとえば、データ情報、電力など）を受信し、受信した入力を端末６０内の１つ以上の要素に伝送するために使用されてもよく、又は端末６０と外部装置との間でデータを伝送するために使用されてもよい。
【０１２６】
メモリ６９０は、ソフトウェアプログラム及び様々なデータを格納するために使用される。メモリ６９０は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ６９０は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０１２７】
プロセッサ６１１は、端末の制御センタであり、各種インタフェースや回線を用いて端末全体の各部を接続し、メモリ６９０に格納されたソフトウェアプログラム及び／又はモジュールを実行、メモリ６９０に格納されたデータを呼び出して端末の各種機能及び処理データを実行し、端末全体の監視を行う。プロセッサ６１１は、１つ以上の処理ユニットを含んでもよい。選択可能に、プロセッサ６１１は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ６１１に統合されなくてもよいことが理解される。
【０１２８】
端末６０は、各構成要素に電力を供給するためのバッテリのような電源６１２を更に含んでもよい。選択可能に、電源６１２は、電源管理システムを介してプロセッサ６１１に論理的に接続されてもよく、電源管理システムを介して充電、放電、及び消費電力管理などを管理する機能を実現してもよい。
【０１２９】
また、端末６０は、図示しない機能モジュールを更に含んでもよく、ここでの説明は省略する。
【０１３０】
好ましくは、本開示の実施例は、プロセッサ６１１と、メモリ６９０と、メモリ６９０に格納されて前記プロセッサ６１１で動作可能なコンピュータプログラムを含む端末を更に提供し、該コンピュータプログラムがプロセッサ６１１によって実行されると、端末側に応用される上り伝送取消指示の傍受方法の実施例の各プロセスが実現され、且つ同じ技術効果を奏することもできるので、重複を避けるために、ここでは繰り返して記載しない。
【０１３１】
本開示の実施例は、コンピュータプログラムが格納されているコンピュータ読み取り可能な記憶媒体を更に提供し、当該コンピュータプログラムがプロセッサによって実行されると、端末側に応用される上り伝送取消指示の傍受方法の実施例の各プロセスが実現され、且つ同じ技術効果を奏することもできるので、重複を避けるために、ここでは繰り返して記載しない。ここで、前記コンピュータ読み取り可能な記憶媒体は、たとえば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ  ）、磁気ディスク又は光ディスクなどなどである。
【０１３２】
なお、本開示の実施例におけるネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）における基地局ＢＴＳ（Ｂａｓｅ  Ｔｒａｎｓｃｅｉｖｅｒ  Ｓｔａｔｉｏｎ）であってもよく、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局ＮＢ（ＮｏｄｅＢ）であってもよく、更に、ＬＴＥにおけるｅＮＢ又はｅＮｏｄｅＢ（Ｅｖｏｌｕｔｉｏｎａｌ  Ｎｏｄｅ  Ｂ）であってもよく、又は中継局やアクセスポイントであり、又は将来の５Ｇネットワークにおける基地局などであり、ここでは限定されない。
【０１３３】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０１３４】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【０１３５】
以上記載されたのは、本開示の好適可能な実施形態である。当業者は、本開示に記載されている原理を逸脱せずに様々な改良や修飾をすることもできる。これらの改良や修飾も、本開示の保護範囲内にある。
【符号の説明】
【０１３６】
２００  端末
２０１  第１決定モジュール
２０２  第１実行モジュール
２０３  第２実行モジュール
３０  端末
３１０  ラジオ周波数ユニット
３１１  プロセッサ
３１２  電源
３２０  ネットワークモジュール
３３０  音声出力ユニット
３４０  入力ユニット
３４１  グラフィックスプロセッサ
３４２  マイク
３５０  センサ
３６０  表示ユニット
３６１  表示パネル
３７０  ユーザ入力ユニット
３７１  タッチパネル
３７２  入力機器
３８０  インタフェースユニット
３９０  メモリ
５００  端末
５０１  第５実行モジュール
６０  端末
６１０  ラジオ周波数ユニット
６１１  プロセッサ
６１２  電源
６２０  ネットワークモジュール
６３０  音声出力ユニット
６４０  入力ユニット
６４１  グラフィックスプロセッサ
６４２  マイク
６５０  センサ
６６０  表示ユニット
６６１  表示パネル
６７０  ユーザ入力ユニット
６７１  タッチパネル
６７２  入力機器
６８０  インタフェースユニット
６９０  メモリ
【図１】
2021520092.tif 000003
【図２】
2021520092.tif 000004
【図３】
2021520092.tif 000005
【図４】
2021520092.tif 000006
【図５】
2021520092.tif 000007
【図６】
2021520092.tif 000008
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
端末に応用する上り伝送取消指示の傍受方法において、
上りＢＷＰと下りＢＷＰとの少なくとも１つを含む帯域幅パートＢＷＰを端末が切り替える際に、上り伝送取消指示を傍受しないことを含む、上り伝送取消指示の傍受方法。
【請求項２】
帯域幅パートＢＷＰを端末が切り替える際に、上り伝送取消指示を傍受しないことは、
活性になっている上りＢＷＰを切り替える際に、上り伝送取消指示を傍受せず、
又は、
活性になっている下りＢＷＰを切り替える際に、上り伝送取消指示を傍受せず、
又は、
活性になっている下りＢＷＰと上りＢＷＰを切り替える際に、上り伝送取消指示を傍受しない、請求項１に記載の上り伝送取消指示の傍受方法。
【請求項３】
端末に応用する上り伝送取消指示の傍受方法において、
帯域幅パートＢＷＰを端末が切り替える際に、ＢＷＰの切り替え中に上り伝送取消指示の傍受を行うか否かを第１所定設定情報に基づいて決定することと、
上り伝送取消指示の傍受が必要であると決定された場合、ＢＷＰの切り替え中に上り伝送取消指示を傍受することと、
上り伝送取消指示の傍受が不要と決定された場合、ＢＷＰの切り替え中に上り伝送取消指示を傍受しないこととを含む、上り伝送取消指示の傍受方法。
【請求項４】
前記第１所定設定情報は、下りＢＷＰに設定される上り伝送取消指示の第１設定情報と、上りＢＷＰに設定される上り伝送取消指示の第２設定情報との少なくとも１つを含む、請求項３に記載の上り伝送取消指示の傍受方法。
【請求項５】
前記端末が下りＢＷＰの切り替えのみを行う場合、ＢＷＰの切り替え中に上り伝送取消指示の傍受を行うか否かを決定することは、
切り替え前又は切り替え後の下りＢＷＰに前記第１設定情報が設定されているか否かによって、ＢＷＰの切り替え中に上り伝送取消指示の傍受を行うか否かを決定することを含み、
又は
前記端末が下りＢＷＰの切り替えのみを行う場合、ＢＷＰの切り替え中に上り伝送取消指示の傍受を行うか否かを決定することは、
切り替え前の下りＢＷＰに設定された第１設定情報と、切り替え後の下りＢＷＰに設定された第１設定情報とが同一であるか否かによって、ＢＷＰの切り替え中に上り伝送取消指示の傍受を行うか否かを決定することを含む、請求項４に記載の上り伝送取消指示の傍受方法。
【請求項６】
前記端末が上りＢＷＰの切り替えのみを行う場合、ＢＷＰの切り替え中に上り伝送取消指示の傍受を行うか否かを決定することは、
切り替え前又は切り替え後の上りＢＷＰに前記第２設定情報が設定されているか否かによって、ＢＷＰの切り替え中に上り伝送取消指示の傍受を行うか否かを決定することを含み、
又は
前記端末が上りＢＷＰの切り替えのみを行う場合、ＢＷＰの切り替え中に上り伝送取消指示の傍受を行うか否かを決定することは、
切り替え前の上りＢＷＰに設定された第２設定情報と、切り替え後の上りＢＷＰに設定された第２設定情報とが同一であるか否かによって、ＢＷＰの切り替え中に上り伝送取消指示の傍受を行うか否かを決定することを含む、請求項４に記載の上り伝送取消指示の傍受方法。
【請求項７】
前記端末が下りＢＷＰと上りＢＷＰの切り替えを同時に行う場合、ＢＷＰの切り替え中に上り伝送取消指示の傍受を行うか否かを決定することは、
下りＢＷＰに前記第１設定情報が設定され且つ上りＢＷＰに前記第２設定情報が設定された完全な設定情報が切り替え前又は切り替え後の上りＢＷＰと下りＢＷＰに設定されているか否かによって、ＢＷＰの切り替え中に上り伝送取消指示の傍受を行うか否かを決定することを含む、請求項４に記載の上り伝送取消指示の傍受方法。
【請求項８】
上り伝送をスケジューリングする下り制御情報を端末が受信しなかった場合、上り伝送取消指示を傍受しないことを更に含む、請求項３に記載の上り伝送取消指示の傍受方法。
【請求項９】
ＢＷＰの切り替え中に上り伝送取消指示を傍受した後に、
上り伝送取消指示が検出された後に、切り替え前の上りＢＷＰと、切り替え前の下りＢＷＰと、切り替え後の上りＢＷＰと、切り替え後の下りＢＷＰとのうちの少なくとも１つを含む第１ＢＷＰの上り伝送取消指示の設定情報に基づいて、上り伝送が取り消しになる時間周波数リソースを決定することを更に含む、請求項３に記載の上り伝送取消指示の傍受方法。
【請求項１０】
ＢＷＰの切り替え中に上り伝送取消指示を傍受した後に、
上り伝送取消指示が検出された後に、第２所定設定情報に基づいて、上り伝送が取り消しになる時間周波数リソースを決定することを更に含む、請求項３に記載の上り伝送取消指示の傍受方法。
【請求項１１】
前記第２所定設定情報には、設定されている上りＢＷＰを含む、請求項１０に記載の上り伝送取消指示の傍受方法。
【請求項１２】
ＢＷＰの切り替え中に上り伝送取消指示を傍受した後に、
上り伝送取消指示が検出された後に、検出された前記上り伝送取消指示を無視することを更に含む、請求項３に記載の上り伝送取消指示の傍受方法。
【請求項１３】
検出された前記上り伝送取消指示を無視することは、
切り替え前のＢＷＰの上り伝送取消指示の設定情報と、切り替え後のＢＷＰの上り伝送取消指示の設定情報とが、少なくとも部分的に異なる場合、検出された前記上り伝送取消指示を無視することを含む、請求項１２に記載の上り伝送取消指示の傍受方法。
【請求項１４】
上りＢＷＰと下りＢＷＰとの少なくとも１つを含む帯域幅パートＢＷＰを端末が切り替える際に、上り伝送取消指示を傍受しない第５実行モジュールを含む、端末。
【請求項１５】
前記第５実行モジュールは、
活性になっている上りＢＷＰを切り替える際に、上り伝送取消指示を傍受せず、
又は、
活性になっている下りＢＷＰを切り替える際に、上り伝送取消指示を傍受せず、
又は、
活性になっている下りＢＷＰと上りＢＷＰを切り替える際に、上り伝送取消指示を傍受しないことに用いられる、請求項１４に記載の端末。
【国際調査報告】
2021520092.tif 000009
2021520092.tif 000010
2021520092.tif 000011
2021520092.tif 000012